(57)【要約】【課題】電気接続箱の小型化・薄型化と生産性の向上とを両立可能な電気接続箱の製造方法、及び、そのような製造方法に適した電気接続箱、を提供すること。【解決手段】電気接続箱１は、電子部品２１，２２を収容する本体部１１と、本体部１１に組み付けられるカバー部１２とを有する。本体部１１及びカバー部１２の少なくとも一方は、電子部品２１，２２から延びる電線ｗを外部に挿通可能な開口箇所１５を有する。本製造方法では、電気接続箱１の内部から開口箇所１５を経て電気接続箱１の外部に向かう所定の経路に沿うように電線ｗの形状を整えながら、プレス装置４０を用いて電線ｗを本体部１１に向けて押し付けて、電線ｗに対して癖付けが施される。その後、癖付けが施された電線ｗが本体部１１とカバー部１２との間に収容され且つ開口箇所１５を経て外部に向かうように、本体部１１にカバー部１２が組み付けられる。【選択図】図３
2020124013.tif 000002
【特許請求の範囲】
【請求項１】
電子部品を内部に収容可能であり且つ前記電子部品に電気的に接続される電線を外部に向けて引出可能である電気接続箱を製造するための、電気接続箱の製造方法であって、
前記電気接続箱は、
前記電子部品を保持可能な本体部と、前記本体部に組み付けられるカバー部と、を有し、前記本体部及び前記カバー部の少なくとも一方は、前記本体部から延びる前記電線を内部から外部に挿通可能な開口箇所を有するように構成され、
当該製造方法は、
前記電気接続箱の内部から前記開口箇所を経て前記電気接続箱の外部に向かう所定の経路に沿うように前記電線の形状を整えながら、プレス装置を用いて前記電線を前記本体部に向けて押し付けることにより、前記経路に沿う形状を有するように前記電線に対して癖付けを施す、第１工程と、
前記癖付けが施された前記電線が前記本体部と前記カバー部との間に収容され且つ前記開口箇所を経て外部に向かうように、前記本体部に前記カバー部を組み付ける、第２工程と、を備える、
電気接続箱の製造方法。
【請求項２】
請求項１に記載の製造方法において、
前記第１工程にて、平坦な形状又は前記経路に対応して湾曲した形状の押圧板を、前記プレス装置を用いて前記電線に押し付けることにより、前記電線に対して前記癖付けを施す、
電気接続箱の製造方法。
【請求項３】
請求項１又は請求項２に記載の製造方法において、
前記第２工程にて、前記プレス装置による前記電線への押し付けを解除した後、前記本体部に前記カバー部を組み付ける、
電気接続箱の製造方法。
【請求項４】
請求項１又は請求項２に記載の製造方法において、
前記カバー部は、複数の部材から構成され、
前記第１工程にて、前記複数の前記部材のうちの一部の前記部材を、前記プレス装置を用いて前記本体部に向けて押し付けることにより、前記電線に対して前記癖付けを施し、
前記第２工程にて、前記一部の前記部材を前記本体部に向けて押し付けた状態を保ちながら、前記複数の前記部材のうちの残りの前記部材を、前記本体部に組み付ける、
電気接続箱の製造方法。
【請求項５】
電子部品を内部に収容可能であり且つ前記電子部品に電気的に接続される電線を外部に向けて引出可能である電気接続箱であって、
前記電子部品を保持可能な本体部と、
前記本体部に組み付けられるカバー部と、を備え、
前記本体部及び前記カバー部の少なくとも一方は、
前記本体部から延びる前記電線を内部から外部に挿通可能な開口箇所を有するように構成され、
前記カバー部は、
複数の部材から構成されるとともに、前記複数の前記部材のうちの一部の前記部材を前記本体部に向けて押し付けることにより、前記電気接続箱の内部から前記開口箇所を経て前記電気接続箱の外部に向かう所定の経路に沿う形状を有するように前記電線に対して癖付けを施し、且つ、前記一部の前記部材を前記本体部に向けて押し付けた状態を保ちながら、前記複数の前記部材のうちの残りの前記部材を前記本体部に組み付けることにより、前記癖付けが施された前記電線を前記本体部と前記カバー部との間に収容し且つ前記開口箇所を経て外部に挿通させる、ように構成される、
電気接続箱。
【発明の詳細な説明】
【技術分野】
【０００１】
本発明は、電気接続箱の製造方法、及び、電気接続箱に関する。
【背景技術】
【０００２】
従来から、リレー及びヒューズ等の電子部品が内蔵された電気接続箱が提案されている。具体的には、従来の電気接続箱の一つでは、それら電子部品と外部機器とを繋ぐための電線束が、電気接続箱に設けられた開口箇所（即ち、電線束の引出口）を介して、電気接続箱の内部から外部に向けて引き出されている（例えば、特許文献１〜３を参照。）。
【先行技術文献】
【特許文献】
【０００３】
【特許文献１】特開２０１４−１９５３５８号公報
【特許文献２】特開平９−２９０７００号公報
【特許文献３】特開２００６−１９１７８４号公報
【発明の概要】
【発明が解決しようとする課題】
【０００４】
近年、自動車などの車両に電気接続箱を搭載するにあたり、電気接続箱の小型化・薄型化の要望が高まっている。更に、電気系統の複雑化などに伴い、電気接続箱に接続される電線の数は増大する傾向にある。これらの結果、電気接続箱の内部で電線を取り回すことができるスペース（例えば、多数の電線が繋がる本体部とロアカバー等のカバー部との間のスペース）に余裕がなくなり、更に電線の数の増大に伴って電線束を曲げ難くなり、本体部にカバー部を組み付ける作業が困難になっている。換言すると、電気接続箱の小型化・薄型化に伴い、電気接続箱の生産性を向上させ難くなっている。
【０００５】
本発明は、上述した事情に鑑みてなされたものであり、その目的は、電気接続箱の小型化・薄型化と生産性の向上とを両立可能な電気接続箱の製造方法、及び、そのような製造方法に適した電気接続箱、を提供することにある。
【課題を解決するための手段】
【０００６】
前述した目的を達成するために、本発明に係る「電気接続箱の製造方法」及び「電気接続箱」は、下記［１］〜［５］を特徴としている。
［１］
電子部品を内部に収容可能であり且つ前記電子部品に電気的に接続される電線を外部に向けて引出可能である電気接続箱を製造するための、電気接続箱の製造方法であって、
前記電気接続箱は、
前記電子部品を保持可能な本体部と、前記本体部に組み付けられるカバー部と、を有し、前記本体部及び前記カバー部の少なくとも一方は、前記本体部から延びる前記電線を内部から外部に挿通可能な開口箇所を有するように構成され、
当該製造方法は、
前記電気接続箱の内部から前記開口箇所を経て前記電気接続箱の外部に向かう所定の経路に沿うように前記電線の形状を整えながら、プレス装置を用いて前記電線を前記本体部に向けて押し付けることにより、前記経路に沿う形状を有するように前記電線に対して癖付けを施す、第１工程と、
前記癖付けが施された前記電線が前記本体部と前記カバー部との間に収容され且つ前記開口箇所を経て外部に向かうように、前記本体部に前記カバー部を組み付ける、第２工程と、を備える、
電気接続箱の製造方法であること。
［２］
上記［１］に記載の製造方法において、
前記第１工程にて、平坦な形状又は前記経路に対応して湾曲した形状の押圧板を、前記プレス装置を用いて前記電線に押し付けることにより、前記電線に対して前記癖付けを施す、
電気接続箱の製造方法であること。
［３］
上記［１］又は上記［２］に記載の製造方法において、
前記第２工程にて、前記プレス装置による前記電線への押し付けを解除した後、前記本体部に前記カバー部を組み付ける、
電気接続箱の製造方法であること。
［４］
上記［１］又は上記［２］に記載の製造方法において、
前記カバー部は、複数の部材から構成され、
前記第１工程にて、前記複数の前記部材のうちの一部の前記部材を、前記プレス装置を用いて前記本体部に向けて押し付けることにより、前記電線に対して前記癖付けを施し、
前記第２工程にて、前記一部の前記部材を前記本体部に向けて押し付けた状態を保ちながら、前記複数の前記部材のうちの残りの前記部材を、前記本体部に組み付ける、
電気接続箱の製造方法であること。
［５］
電子部品を内部に収容可能であり且つ前記電子部品に電気的に接続される電線を外部に向けて引出可能である電気接続箱であって、
前記電子部品を保持可能な本体部と、
前記本体部に組み付けられるカバー部と、を備え、
前記本体部及び前記カバー部の少なくとも一方は、
前記本体部から延びる前記電線を内部から外部に挿通可能な開口箇所を有するように構成され、
前記カバー部は、
複数の部材から構成されるとともに、前記複数の前記部材のうちの一部の前記部材を前記本体部に向けて押し付けることにより、前記電気接続箱の内部から前記開口箇所を経て前記電気接続箱の外部に向かう所定の経路に沿う形状を有するように前記電線に対して癖付けを施し、且つ、前記一部の前記部材を前記本体部に向けて押し付けた状態を保ちながら、前記複数の前記部材のうちの残りの前記部材を前記本体部に組み付けることにより、前記癖付けが施された前記電線を前記本体部と前記カバー部との間に収容し且つ前記開口箇所を経て外部に挿通させる、ように構成される、
電気接続箱であること。
【０００７】
上記［１］の構成の製造方法によれば、プレス装置（例えば、ハンドプレス）により、電気接続箱の本体部から延びる電線が、電気接続箱の内部から開口箇所（例えば、引出口）を経て電気接続箱の外部に向かう所定の経路（電線の引き出し経路）に沿うように形状を整えながら、本体部に向けて押し付けられる。これにより、電線に対し、上述した経路に沿う形状を有するような癖付けが施される。そして、癖付けが施された電線を覆うように、本体部にカバー部（例えば、ロアカバー）が組み付けられる。よって、癖付けが施されていない電線を覆うように強引に本体部にカバー部を組み付ける場合に比べ、本体部にカバー部を組み付ける作業が容易になる。また、上述した経路から外れた電線が意図せず本体部とカバー部との間に挟まれること（いわゆる噛み込み）を抑制できる。更に、プレス装置を用いることで、電線の数が増大しても電線の癖付けが容易になる。したがって、本構成の製造方法は、電気接続箱の小型化・薄型化と生産性の向上とを両立可能である。
【０００８】
上記［２］の構成の製造方法によれば、平坦な形状の押圧板を用いることで、例えば、所定の経路（電線の引き出し経路）に沿って押圧板を動かしながら電線を順々に押圧し、容易に電線に癖付けを施すことができる。更に、電気接続箱の型番などが異なって上述した経路が異なる様々な電気接続箱に対し、共通した形状の押圧板を用いることができ、押圧板の汎用性を高められる。これに対し、上述した経路に対応して湾曲した形状の押圧板を用いることで、例えば、電線がその経路から外れた状態で押圧されること（例えば、電線のこぼれ）を抑制し、電線に癖付けを施す工程の作業性を向上できる。
【０００９】
上記［３］の構成の製造方法によれば、プレス装置による電線の押し付けを解除した後に本体部にカバー部が組み付けられる。そのため、本体部とカバー部との組み付けをプレス装置が妨げ難い。換言すると、本体部やカバー部の形状によらず、種々様々な電気接続箱に対し、本構成の製造方法を適用できる。
【００１０】
上記［４］の構成の製造方法によれば、カバー部が複数の部材から構成され、これら複数の部材のうちの一部の部材（例えば、カバー部の中央部にあたる部材。図７等を参照）を介し、プレス装置による電線の癖付けが施される。そして、その一部の部材によって電線を押し付けたまま、残りの部材（例えば、カバー部の周縁部にあたる部材。図７等を参照）が本体部に組み付けられる。そのため、プレス装置による電線の押し付けが解除される場合に比べ、電線の形状が所定の経路に沿った形状に強固に保たれる。よって、本体部に残りの部材を組み付ける工程が容易になり、電気接続箱の生産性を更に向上できる。
【００１１】
なお、例えば、本体部へのカバー部の組み付け完了時にカバー部を構成する複数の部材が互いに係合するようにカバー部を構成することで、本体部への組み付け後にカバー部を構成する各部材が互いに分離することを抑制できる。なお、止水性を高める等の観点から、カバー部を構成する複数の部材同士の隙間を封止する止水部材を更に設けてもよい。
【００１２】
上記［５］の構成の電気接続箱によれば、カバー部が複数の部材から構成され、これら複数の部材のうちの一部の部材を本体部に向けて押し付けることで、電線の癖付けが施される。そして、その一部の部材によって電線を押し付けたまま、残りの部材が本体部に組み付けられる。よって、癖付けが施されていない電線を覆うように強引に本体部にカバー部を組み付ける場合に比べ、本体部にカバー部を組み付ける作業が容易になる。また、所定の経路（電線の引き出し経路）から外れた電線が意図せず本体部とカバー部との間に挟まれること（いわゆる噛み込み）を抑制できる。更に、カバー部の組み付け時に電線の押し付けを解除する場合に比べ、電線の形状が所定の経路に沿った形状に強固に保たれる。よって、本体部に残りの部材を組み付ける工程が容易になり、電気接続箱の生産性を向上できる。したがって、本構成の電気接続箱は、電気接続箱の小型化・薄型化と生産性の向上とを両立可能である。
【発明の効果】
【００１３】
本発明によれば、電気接続箱の小型化・薄型化と生産性の向上とを両立可能な電気接続箱の製造方法、及び、そのような製造方法に適した電気接続箱を提供できる。
【００１４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１５】
【図１】図１は、本発明の第１実施形態に係る電気接続箱の分解斜視図である。
【図２】図２は、図１に示す本体部及び下カバー部を底面側から見た斜視図である。
【図３】図３（ａ）〜図３（ｃ）は、本体部に下カバー部を組み付ける際の手順について説明するための図２のＡ−Ａ断面に相当する図である。
【図４】図４は、下カバー部が組み付けられた本体部を底面側から見た斜視図である。
【図５】図５（ａ）は、図３（ｂ）に示す押圧板の斜視図であり、図５（ｂ）は、第１実施形態の変形例に係る押圧板の斜視図である。
【図６】図６は、本発明の第２実施形態に係る電気接続箱における図２に対応する斜視図である。
【図７】図７（ａ）〜図７（ｃ）は、図６に示す電気接続箱について、本体部に下カバー部を組み付ける際の手順について説明するための図である。
【発明を実施するための形態】
【００１６】
＜第１実施形態＞
以下、図１〜図５を参照しながら、本発明の第１実施形態に係る電気接続箱１の製造方法について説明する。本例において、電気接続箱１は、リレー及びヒューズ等が取り付けられるリレーボックスである。電気接続箱１は、典型的には、車両に搭載され、種々の車載電装品と電気的に接続されて使用される。
【００１７】
図１に示すように、電気接続箱１の筐体部１０は、上方に開口する矩形箱状の樹脂製の本体部１１と、本体部１１の下端縁に組み付けられて本体部１１の底面との間に電線格納空間１７（図３（ｃ）参照）を画成する樹脂製の下カバー部１２と、本体部１１の上端縁に組み付けられて本体部１１の上面を覆う樹脂製の上カバー部１３と、を備える。下カバー部１２は、上方が開口する矩形箱状の形状を有し、上カバー部１３は、下方が開口する矩形箱状の形状を有する。
【００１８】
本体部１１の内部には、基板を含む保持部２０が固定配置されており、保持部２０の上面側には、複数（本例では、２つ）のリレー２１と、複数（本例では、３つ）のヒューズ２２とが取り付けられ、保持されている。
【００１９】
保持部２０の下面側には、複数のコネクタ接続部（図示省略）が設けられている。複数のコネクタ接続部には、図２に示すように、複数の電線ｗにより構成される電線束Ｗ１及び電線束Ｗ２の何れか一方又は両方の一端部に接続された複数のコネクタ２３が接続されている。複数のコネクタ２３は、本体部１１の底面から露出するように本体部１１の底壁に配置されている。この結果、電線束Ｗ１，Ｗ２を構成する複数の電線ｗが、本体部１１の底面から電線格納空間１７の内部に導出されている。
【００２０】
下カバー部１２の側壁１４には、図１に示すように、複数（本例では、２つ）の引出口１５が形成されている。引出口１５は、本例では、側壁１４に形成された上方に開口し且つ下方に窪んだＵ字状の凹部の縁部から側壁１４の外側に向けて一体に突出するＵ字状のフード部１６により構成されている。
【００２１】
電線束Ｗ１は、２つの引出口１５のうち一方の引出口１５を介して電線格納空間１７の内部から外部に導出され、電線束Ｗ２は、他方の引出口１５を介して電線格納空間１７の内部から外部に導出されている。電線束Ｗ１，Ｗ２の他端部はそれぞれ、例えば、種々の車載電装品と電気的に接続される。これにより、電線束Ｗ１，Ｗ２を介してリレー２１及びヒューズ２２と、種々の車載電装品とが電気的に接続される。
【００２２】
本体部１１に下カバー部１２及び上カバー部１３を組み付ける際には、下カバー部１２を本体部１１に組み付けた後に上カバー部１３を本体部１１に組み付けてもよいし、上カバー部１３を本体部１１に組み付けた後に下カバー部１２を本体部１１に組み付けてもよい。なお、下カバー部１２及び上カバー部１３の本体部１１への組み付け完了状態において、本体部１１と下カバー部１２との間の隙間、及び、本体部１１と上カバー部１３との間の隙間を封止するための止水部材が、本体部１１側、及び／又は、下カバー部１２及び上カバー部１３側に設けられていることが好適である。
【００２３】
以下、図３を参照しながら、本体部１１に下カバー部１２を組み付ける際の手順について説明する。本体部１１の底面から導出される複数の電線ｗは、当初は癖付けが施されていないので、図３（ａ）に示すように、本体部１１の底面からランダムな方向にランダムな態様でそれぞれ延びている。よって、このような癖付けが施されていない複数の電線ｗを覆うように強引に本体部１１に下カバー部１２を組み付けて、複数の電線ｗを電線格納空間１７の内部に適正な態様で格納しつつ引出口１５から電線格納空間１７の外部へ導出させることは、非常に困難である。この傾向は、電気接続箱１の小型化・薄型化により電線格納空間１７が狭くなるほど、また電線ｗの本数が増えるほど、顕著になる。
【００２４】
この問題に対処するため、本例では、本体部１１に下カバー部１２を組み付ける前に、図３（ｂ）に示すように、複数の電線ｗが電線格納空間１７の内部から引出口１５を経て電気接続箱１の外部に向かう所定の経路（図２を参照）に沿うように複数の電線ｗの形状を整えながら、プレス装置４０（典型的には、ハンドプレス）に組み付けられた押圧板３０を用いて、複数の電線ｗが本体部１１の底面に向けて押し付けられる。これにより、複数の電線ｗが所定の経路（図２を参照）に沿う形状を有するように複数の電線ｗに対して癖付けが施される。
【００２５】
押圧板３０としては、図５（ａ）に示すように、平坦な形状を有する押圧板３０が使用されてもよいし、図５（ｂ）に示すように、所定の経路（図２を参照）に対応して湾曲した形状の押圧板３０が使用されてもよい。平坦な形状の押圧板３０（図５（ａ）参照）を使用する場合、例えば、所定の経路（図２を参照）に沿って押圧板３０を順々に動かしながら複数の電線ｗを押圧することで、容易に複数の電線ｗに癖付けを施すことができる。更に、型番などが異なることで所定の経路（図２を参照）が異なる様々な電気接続箱に対し、共通した形状の押圧板３０を用いることができる。よって、特定の経路に特化した形状の押圧板を用いる場合に比べ、押圧板３０の汎用性を向上できる。一方、経路に対応して湾曲した形状の押圧板３０（図５（ｂ）参照）を用いる場合、複数の電線ｗがその経路から外れた状態で押圧されることを抑制し、複数の電線ｗに癖付けを施す工程の作業性を向上できる。
【００２６】
次いで、押圧板３０による複数の電線ｗへの押し付けを解除した後、図３（ｃ）に示すように、癖付けが施された複数の電線ｗが電線格納空間１７に収容され且つ引出口１５を経て外部に向かうように、下カバー部１２が本体部１１に組み付けられる。これにより、図４に示すように、下カバー部１２の本体部１１への組み付けが完了する。
【００２７】
以上、本発明の第１実施形態に係る電気接続箱１の製造方法によれば、プレス装置４０（例えば、ハンドプレス）により、電気接続箱１の本体部１１の底面から延びる複数の電線ｗが、電気接続箱１の電線格納空間１７（図３（ｃ）参照）から引出口１５を経て電気接続箱１の外部に向かう所定の経路（図２参照）に沿うように形状を整えながら、本体部１１の底面に向けて押し付けられる。これにより、複数の電線ｗに対し、上述した経路に沿う形状を有するように癖付けが施される。そして、癖付けが施された複数の電線ｗを覆うように、本体部１１に下カバー部１２が組み付けられる。よって、癖付けが施されていない複数の電線ｗを覆うように強引に本体部１１に下カバー部１２を組み付ける場合に比べ、本体部１１に下カバー部１２を組み付ける作業が容易になる。また、上述した経路から外れた電線ｗが意図せず本体部１１と下カバー部１２との間に挟まれること（いわゆる噛み込み）を抑制できる。更に、プレス装置４０を用いることで、電線ｗの数が増大しても、電線ｗの癖付けが容易になる。したがって、本発明の第１実施形態に係る電気接続箱１の製造方法は、電気接続箱１の小型化・薄型化と生産性の向上とを両立可能である。
【００２８】
更に、本発明の第１実施形態に係る電気接続箱１の製造方法によれば、プレス装置４０による電線ｗの押し付けを解除した後に本体部１１に下カバー部１２が組み付けられる。そのため、本体部１１と下カバー部１２との組み付けをプレス装置４０が妨げ難い。換言すると、本体部１１や下カバー部１２の形状によらず、種々様々な電気接続箱１に対し、本構成の製造方法を適用できる。
【００２９】
＜第２実施形態＞
次いで、図６〜図７を参照しながら、本発明の第２実施形態に係る電気接続箱１の製造方法について説明する。
【００３０】
上述した第１実施形態に係る電気接続箱１では、下カバー部１２が単一の部材で構成されている（図１〜図４参照）。これに対し、第２実施形態に係る電気接続箱１では、図６に示すように、下カバー部１２が、複数の部材で構成されている。具体的には、下カバー部１２が、上方から見て矩形状の第１部分１２ａと、上方から見て第１部分１２ａを三方から囲むＵ字状の第２部分１２ｂと、の２つの部材で構成されている。２つの引出口１５は、第２部分１２ｂ側に設けられている。
【００３１】
第２実施形態では、図７（ａ）に示すように、先ず、複数の電線ｗが所定の経路に沿うように複数の電線ｗの形状を整えながら、本体部１１の対応箇所に組み付けた第１部分１２ａが、プレス装置４０（典型的には、ハンドプレス）に組み付けられた押圧板３０を用いて、本体部１１の底面に向けて押し付けられる。これにより、複数の電線ｗが所定の経路に沿う形状を有するように複数の電線ｗに対して癖付けが施される。
【００３２】
次いで、図７（ｂ）に示すように、押圧板３０による第１部分１２ａの複数の電線ｗへの押し付けを維持しながら、癖付けが施された複数の電線ｗが電線格納空間１７に収容され且つ２つの引出口１５を経て外部に向かうように、第２部分１２ｂが本体部１１の対応箇所に組み付けられる。
【００３３】
次いで、押圧板３０による第１部分１２ａの複数の電線ｗへの押し付けが解除される。これにより、図７（ｃ）に示すように、下カバー部１２（＝第１部分１２ａ＋第２部分１２ｂ）の本体部１１への組み付けが完了する。
【００３４】
ここで、下カバー部１２を構成する第１、第２部分１２ａ，１２ｂは、例えば、本体部１１への組み付け完了時に互いに係合するように構成され得る。これにより、本体部１１への組み付け後に第１、第２部分１２ａ，１２ｂが互いに分離することを抑制できる。更に、止水性を高める等の観点から、下カバー部１２を構成する第１、第２部分１２ａ，１２ｂ同士の隙間を封止する止水部材を設けてもよい。
【００３５】
このように、本発明の第２実施形態に係る電気接続箱１では、下カバー部１２が複数の部材（第１部分１２ａ及び第２部分１２ｂ）から構成され、これら複数の部材のうちの一部の部材（第１部分１２ａ）を介し、プレス装置４０による電線ｗの癖付けが施される。そして、その一部の部材によって電線ｗを押し付けたまま、残りの部材（第２部分１２ｂ）が本体部１１に組み付けられる。そのため、プレス装置４０による電線ｗの押し付けが解除される場合に比べ、電線ｗの形状が所定の経路に沿った形状に強固に保たれる。よって、本体部１１に残りの部材を組み付ける工程が容易になり、電気接続箱１の生産性を全体として向上できる。
【００３６】
なお、第２実施形態では、下カバー部１２が２つの部材で構成されているが、下カバー部１２が３つ以上の部材で構成されていてもよい。
【００３７】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３８】
例えば、第１実施形態（図１〜図４参照）、及び、第２実施形態（図６及び図７参照）では、電気接続箱１の電線格納空間１７と外部とを繋ぐ引出口１５は、下カバー部１２側に設けられている。これに対し、引出口は、本体部１１側に設けられてもよいし、下カバー部１２と本体部１１とによって画成されてもよい。
【００３９】
ここで、上述した本発明に係る電気接続箱１の製造方法、及び、電気接続箱１の実施形態の特徴をそれぞれ以下［１］〜［５］に簡潔に纏めて列記する。
［１］
電子部品（２１，２２）を内部に収容可能であり且つ前記電子部品（２１，２２）に電気的に接続される電線（ｗ）を外部に向けて引出可能である電気接続箱（１）を製造するための、電気接続箱（１）の製造方法であって、
前記電気接続箱（１）は、
前記電子部品（２１，２２）を保持可能な本体部（１１）と、前記本体部（１１）に組み付けられるカバー部（１２）と、を有し、前記本体部（１１）及び前記カバー部（１２）の少なくとも一方は、前記本体部（１１）から延びる前記電線（ｗ）を内部から外部に挿通可能な開口箇所（１５）を有するように構成され、
当該製造方法は、
前記電気接続箱（１）の内部から前記開口箇所（１５）を経て前記電気接続箱（１）の外部に向かう所定の経路に沿うように前記電線（ｗ）の形状を整えながら、プレス装置（４０）を用いて前記電線（ｗ）を前記本体部（１１）に向けて押し付けることにより、前記経路に沿う形状を有するように前記電線（ｗ）に対して癖付けを施す、第１工程と、
前記癖付けが施された前記電線（ｗ）が前記本体部（１１）と前記カバー部（１２）との間に収容され且つ前記開口箇所（１５）を経て外部に向かうように、前記本体部（１１）に前記カバー部（１２）を組み付ける、第２工程と、を備える、
電気接続箱の製造方法。
［２］
上記［１］に記載の製造方法において、
前記第１工程にて、平坦な形状又は前記経路に対応して湾曲した形状の押圧板（３０）を、前記プレス装置（４０）を用いて前記電線（ｗ）に押し付けることにより、前記電線（ｗ）に対して前記癖付けを施す、
電気接続箱の製造方法。
［３］
上記［１］又は上記［２］に記載の製造方法において、
前記第２工程にて、前記プレス装置（４０）による前記電線（ｗ）への押し付けを解除した後、前記本体部（１１）に前記カバー部（１２）を組み付ける、
電気接続箱の製造方法。
［４］
上記［１］又は上記［２］に記載の製造方法において、
前記カバー部（１２）は、複数の部材（１２ａ，１２ｂ）から構成され、
前記第１工程にて、前記複数の前記部材のうちの一部の前記部材（１２ａ）を、前記プレス装置（４０）を用いて前記本体部（１１）に向けて押し付けることにより、前記電線（ｗ）に対して前記癖付けを施し、
前記第２工程にて、前記一部の前記部材（１２ａ）を前記本体部（１１）に向けて押し付けた状態を保ちながら、前記複数の前記部材のうちの残りの前記部材（１２ｂ）を、前記本体部（１１）に組み付ける、
電気接続箱の製造方法。
［５］
電子部品（２１，２２）を内部に収容可能であり且つ前記電子部品（２１，２２）に電気的に接続される電線（ｗ）を外部に向けて引出可能である電気接続箱（１）であって、
前記電子部品（２１，２２）を保持可能な本体部（１１）と、
前記本体部（１１）に組み付けられるカバー部（１２）と、を備え、
前記本体部（１１）及び前記カバー部（１２）の少なくとも一方は、
前記本体部（１１）から延びる前記電線（ｗ）を内部から外部に挿通可能な開口箇所（１５）を有するように構成され、
前記カバー部（１２）は、
複数の部材（１２ａ，１２ｂ）から構成されるとともに、前記複数の前記部材のうちの一部の前記部材（１２ａ）を前記本体部（１１）に向けて押し付けることにより、前記電気接続箱（１）の内部から前記開口箇所（１５）を経て前記電気接続箱（１）の外部に向かう所定の経路に沿う形状を有するように前記電線（ｗ）に対して癖付けを施し、且つ、前記一部の前記部材（１２ａ）を前記本体部（１１）に向けて押し付けた状態を保ちながら、前記複数の前記部材のうちの残りの前記部材（１２ｂ）を前記本体部（１１）に組み付けることにより、前記癖付けが施された前記電線（ｗ）を前記本体部（１１）と前記カバー部（１２）との間に収容し且つ前記開口箇所（１５）を経て外部に挿通させる、ように構成される、
電気接続箱（１）。
【符号の説明】
【００４０】
１      電気接続箱
１１    本体部
１２    下カバー部（カバー部）
１２ａ  第１部分（一部の部材）
１２ｂ  第２部分（残りの部材）
１５    引出口（開口箇所）
２１    リレー（電子部品）
２２    ヒューズ（電子部品）
３０    押圧板
４０    プレス装置
ｗ      電線
【図１】
2020124013.tif 000003
【図２】
2020124013.tif 000004
【図３】
2020124013.tif 000005
【図４】
2020124013.tif 000006
【図５】
2020124013.tif 000007
【図６】
2020124013.tif 000008
【図７】
2020124013.tif 000009